(57)【要約】【課題】系切替可能通信装置の系切替時の再接続の手間を省くことができ、柔軟なシステム設計を可能とする通信装置および通信システムを提供する。【解決手段】運用系および待機系のメディア制御装置３を有する系切替可能通信装置２と、該系切替可能通信装置２の運用系のメディア制御装置３と通信し系切替可能通信装置２を管理する端末機器４との間に接続され、系切替可能通信装置２にて運用系のメディア制御装置３の切替が行われたとき、切替後の運用系のメディア制御装置３から受信したフレームの送信元アドレスを、切替前の運用系のメディア制御装置３のアドレスに書き換え、切替前の運用系のメディア制御装置３に送られるフレームの宛先アドレスを、切替後の運用系のメディア制御装置３のアドレスに書き換える系切替時処理部５を備えたものである。【選択図】図１
2014006634.tif 000002
【特許請求の範囲】
【請求項１】
運用系および待機系のメディア制御装置を有する系切替可能通信装置と、該系切替可能通信装置の運用系のメディア制御装置と通信し前記系切替可能通信装置を管理する端末機器との間に接続され、
前記系切替可能通信装置にて運用系のメディア制御装置の切替が行われたとき、切替後の運用系のメディア制御装置から受信したフレームの送信元アドレスを、切替前の運用系のメディア制御装置のアドレスに書き換え、前記切替前の運用系のメディア制御装置に送られるフレームの宛先アドレスを、前記切替後の運用系のメディア制御装置のアドレスに書き換える系切替時処理部を備えた
ことを特徴とする通信装置。
【請求項２】
前記系切替時処理部は、前記系切替可能通信装置にて運用系のメディア制御装置の切替が行われたとき、前記系切替可能通信装置の各メディア制御装置に、再接続要求を送信する
請求項１記載の通信装置。
【請求項３】
前記系切替時処理部は、前記端末機器から前記系切替可能通信装置への接続要求の内容を記憶しておき、前記系切替可能通信装置にて運用系のメディア制御装置の切替が行われたとき、記憶しておいた前記接続要求を基に前記再接続要求を作成し、前記系切替可能通信装置の各メディア制御装置に送信する
請求項２記載の通信装置。
【請求項４】
前記系切替時処理部は、前記系切替可能通信装置との間に他の通信装置が接続されているとき、前記系切替可能通信装置のＩＰアドレスを記憶し、当該ＩＰアドレスに送受信するフレームのみにアドレスの書き換え処理を行う
請求項１〜３いずれかに記載の通信装置。
【請求項５】
運用系および待機系のメディア制御装置を有する系切替可能通信装置と、
該系切替可能通信装置の運用系のメディア制御装置と通信し前記系切替可能通信装置を管理する端末機器と、
前記系切替可能通信装置と前記端末機器との間に接続され、前記系切替可能通信装置にて運用系のメディア制御装置の切替が行われたとき、切替後の運用系のメディア制御装置から受信したフレームの送信元アドレスを、切替前の運用系のメディア制御装置のアドレスに書き換え、切替前の運用系のメディア制御装置に送られるフレームの宛先アドレスを、切替後の運用系のメディア制御装置のアドレスに書き換える系切替時処理部を備えた通信装置と、
を備えたことを特徴とする通信システム。
【請求項６】
前記系切替可能通信装置と前記端末機器との間に、複数の前記通信装置が互いに通信可能に接続され、
複数の前記通信装置のそれぞれの前記系切替時処理部で、前記系切替可能通信装置の前記メディア制御装置と、当該メディア制御装置に接続されている前記通信装置の対応情報を共有するようにした
請求項５記載の通信システム。
【発明の詳細な説明】
【技術分野】
【０００１】
本発明は、運用系および待機系のメディア制御装置を有する系切替可能通信装置と、系切替可能通信装置を管理する端末機器との間に接続される通信装置および通信システムに関するものである。
【背景技術】
【０００２】
シャーシ型スイッチでは、２枚の管理カードを備え、一方の管理カードを運用系、他方の管理カードを待機系として用いるものがある。待機系の管理カードは、運用系の管理カードのバックアップとして用いられ、運用系の管理カードが故障したり抜去されたりして使用不可となったとき、あるいは外部から運用系の管理カードを切り替える命令が入力されたときに使用される。
【０００３】
シャーシ型スイッチのような運用系および待機系のメディア制御装置（管理カードなど）を有する通信装置（以下、系切替可能通信装置という）では、運用系のメディア制御装置と管理用の端末機器との間で通信を行い、系切替可能通信装置の設定や管理を行うようになっている。
【０００４】
ところで、端末機器からメディア制御装置にはｔｅｌｎｅｔ等の通信プロトコルを用いて接続するのが一般的であるが、系切替可能通信装置にて運用系のメディア制御装置の切替（系切替という）が行われると、端末機器と系切替可能通信装置間の通信が一旦切断されてしまい、端末機器から切替後の運用系のメディア制御装置に接続しなおさなければならない。特に、端末機器から運用系のメディア制御装置を切り替える命令を行った場合、意図して切替を行ったにもかかわらず通信が切断されてしまい、再接続の手間がかかる。
【０００５】
特許文献１では、系切替可能通信装置において、系切替の際に仮想ＭＡＣアドレスを用いることで、系切替を行っていないように見せかける方法が提案されている。この方法では、切替後のメディア制御装置が、切替前のメディア制御装置のＭＡＣアドレスを自身の仮想的なＭＡＣアドレスとして用いるようにすることで、端末機器など外部の機器に対して、あたかも系切替を行っていないかのように見せかけている。
【０００６】
特許文献１の技術を適用することで、系切替の際に端末機器と系切替可能通信装置間の通信が切断されることがなくなり、再接続の手間を省き利便性を向上させることが可能になる。
【先行技術文献】
【特許文献】
【０００７】
【特許文献１】特開２０１１−２０５５５０号公報
【発明の概要】
【発明が解決しようとする課題】
【０００８】
しかしながら、上述の特許文献１の技術では、通信システム上に存在する系切替可能通信装置の全てに特許文献１の技術を適用した専用の装置を備える必要があるため、柔軟なシステム設計が困難であり、特に多数の系切替可能通信装置を備える場合には、コストが高くなってしまうという問題がある。また、既存の系切替可能通信装置を専用の装置に置き換える必要があるため、既存の通信システムへの適用が困難という問題もある。
【０００９】
本発明は上記事情に鑑み為されたものであり、系切替可能通信装置の系切替時の再接続の手間を省くことができ、柔軟なシステム設計を可能とする通信装置および通信システムを提供することを目的とする。
【課題を解決するための手段】
【００１０】
本発明は上記目的を達成するために創案されたものであり、運用系および待機系のメディア制御装置を有する系切替可能通信装置と、該系切替可能通信装置の運用系のメディア制御装置と通信し前記系切替可能通信装置を管理する端末機器との間に接続され、前記系切替可能通信装置にて運用系のメディア制御装置の切替が行われたとき、切替後の運用系のメディア制御装置から受信したフレームの送信元アドレスを、切替前の運用系のメディア制御装置のアドレスに書き換え、前記切替前の運用系のメディア制御装置に送られるフレームの宛先アドレスを、前記切替後の運用系のメディア制御装置のアドレスに書き換える系切替時処理部を備えた通信装置である。
【００１１】
前記系切替時処理部は、前記系切替可能通信装置にて運用系のメディア制御装置の切替が行われたとき、前記系切替可能通信装置の各メディア制御装置に、再接続要求を送信してもよい。
【００１２】
前記系切替時処理部は、前記端末機器から前記系切替可能通信装置への接続要求の内容を記憶しておき、前記系切替可能通信装置にて運用系のメディア制御装置の切替が行われたとき、記憶しておいた前記接続要求を基に前記再接続要求を作成し、前記系切替可能通信装置の各メディア制御装置に送信してもよい。
【００１３】
前記系切替時処理部は、前記系切替可能通信装置との間に他の通信装置が接続されているとき、前記系切替可能通信装置のＩＰアドレスを記憶し、当該ＩＰアドレスに送受信するフレームのみにアドレスの書き換え処理を行ってもよい。
【００１４】
また、本発明は、運用系および待機系のメディア制御装置を有する系切替可能通信装置と、該系切替可能通信装置の運用系のメディア制御装置と通信し前記系切替可能通信装置を管理する端末機器と、前記系切替可能通信装置と前記端末機器との間に接続され、前記系切替可能通信装置にて運用系のメディア制御装置の切替が行われたとき、切替後の運用系のメディア制御装置から受信したフレームの送信元アドレスを、切替前の運用系のメディア制御装置のアドレスに書き換え、切替前の運用系のメディア制御装置に送られるフレームの宛先アドレスを、切替後の運用系のメディア制御装置のアドレスに書き換える系切替時処理部を備えた通信装置と、を備えた通信システムである。
【００１５】
前記系切替可能通信装置と前記端末機器との間に、複数の前記通信装置が互いに通信可能に接続され、複数の前記通信装置のそれぞれの前記系切替時処理部で、前記系切替可能通信装置の前記メディア制御装置と、当該メディア制御装置に接続されている前記通信装置の対応情報を共有するようにしてもよい。
【発明の効果】
【００１６】
本発明によれば、系切替可能通信装置の系切替時の再接続の手間を省くことができ、柔軟なシステム設計を可能とする通信装置および通信システムを提供できる。
【図面の簡単な説明】
【００１７】
【図１】本発明の一実施の形態に係る通信装置を備えた通信システムの概略構成図である。
【図２】図１の通信システムの動作を説明するフロー図である。
【図３】本発明の他の実施の形態に係る通信装置を備えた通信システムの概略構成図である。
【図４】本発明の他の実施の形態に係る通信装置を備えた通信システムの概略構成図である。
【発明を実施するための形態】
【００１８】
以下、本発明の実施の形態を添付図面にしたがって説明する。
【００１９】
図１は、本実施の形態に係る通信装置を備えた通信システムの概略構成図である。
【００２０】
図１に示すように、通信システム１００は、運用系および待機系のメディア制御装置３を有する系切替可能通信装置２と、該系切替可能通信装置２の運用系のメディア制御装置３と通信し系切替可能通信装置２を管理する端末機器４と、系切替可能通信装置２と端末機器４との間に接続される本発明の通信装置１と、を備えている。
【００２１】
ここでは、系切替可能通信装置２がｎ個のメディア制御装置３−１〜３−ｎを備えている場合を示している。系切替可能通信装置２は、例えばシャーシ型スイッチであり、メディア制御装置３は、例えば管理カードである。
【００２２】
端末機器４は、系切替可能通信装置２の設定や管理を行うものであり、例えばＰＣ（パーソナルコンピュータ）である。端末機器４では、系切替可能通信装置２に対して運用系のメディア制御装置３を切り替える命令（主従切替命令という）を出力することにより、運用系のメディア制御装置３を切替制御できるようになっている。また、端末機器４は、系切替可能通信装置２に対して、ｔｅｌｎｅｔやＳＳＨ（Ｓｅｃｕｒｅ  ＳＨｅｌｌ）などの通信プロトコルを用いてリモート接続し、通信を行うようになっている。
【００２３】
通信装置１は、系切替可能通信装置２と端末機器４とに接続されており、系切替可能通信装置２と端末機器４とが通信装置１を介して通信を行うようになっている。図１の例では、通信装置１のポート６−１〜６−ｎが系切替可能通信装置２のメディア制御装置３−１〜３−ｎにそれぞれ直接接続されており、ポート６−ｐがルータ、スイッチなどを介して端末機器４に接続されている。
【００２４】
通信装置１は、例えばレイヤ２スイッチ（Ｌ２スイッチという）やレイヤ３スイッチ（Ｌ３スイッチという）である。通信装置１は、受信処理部、送信処理部、中継経路など中継処理に必要な部位を備えているが、これらは公知のものであるため、ここでは説明を省略する。
【００２５】
通信装置１は、各ポート６が接続されている機器の情報を記憶する接続機器情報記憶部７を備えている。本実施の形態においては、例えば、ポート６−１は系切替可能通信装置２のメディア制御装置３−１に接続されているので、接続機器情報記憶部７では、ポート６−１と対応づけて、メディア制御装置３−１のＭＡＣアドレスと系切替可能通信装置２に接続しているという情報が記憶される。
【００２６】
さて、本実施の形態に係る通信装置１は、系切替可能通信装置２にて運用系のメディア制御装置３の切替が行われたとき、切替後の運用系のメディア制御装置３から受信したフレームの送信元アドレスを、切替前の運用系のメディア制御装置３のアドレスに書き換え、切替前の運用系のメディア制御装置３に送られるフレームの宛先アドレスを、切替後の運用系のメディア制御装置３のアドレスに書き換える系切替時処理部５を備えている。
【００２７】
より具体的には、系切替時処理部５は、切替前の運用系のメディア制御装置３のＭＡＣアドレスを「切替前アドレス」として記憶しておくと共に、切替後の運用系のメディア制御装置３のＭＡＣアドレスを「切替後アドレス」として記憶しておき、中継するフレームの送信元アドレスが「切替後アドレス」である場合、送信元アドレスを「切替前アドレス」に書き換え、中継するフレームの宛先アドレスが「切替前アドレス」である場合、宛先アドレスを「切替後アドレス」に書き換える処理を行うように構成される。
【００２８】
これにより、切替後の運用系のメディア制御装置３から送信されたフレームは、通信装置１にて、送信元アドレスが自動的に「切替前アドレス」に書き換えられて端末機器４に送られることになる。また、端末機器４から「切替前アドレス」に向けて送信されたフレームは、宛先アドレスが「切替後アドレス」に書き換えられ、切替後の運用系のメディア制御装置３にて受信される。よって、端末機器４側からみるとあたかも切替前の運用系のメディア制御装置３と通信をおこなっているかのようになり、系切替前と同様の処理を行うことが可能になる。
【００２９】
系切替可能通信装置２にて運用系のメディア制御装置３の切替が行われると、切替前の運用系のメディア制御装置３から切断情報（接続断信号）が送信されることがあるので、系切替時処理部５は、系切替可能通信装置２から切断情報を受信したとき、その受信した切断情報を破棄するように構成される。
【００３０】
通信装置１では、系切替時に、どのメディア制御装置３が新たに運用系になったかを認識し、新たに運用系となったメディア制御装置３のＭＡＣアドレスを「切替後アドレス」として記憶する必要がある。
【００３１】
本実施の形態では、系切替可能通信装置２にて運用系のメディア制御装置３の切替が行われたとき、系切替可能通信装置２の各メディア制御装置３に、再接続要求を送信し、応答があったメディア制御装置３が切替後のメディア制御装置３であると判断するようにした。
【００３２】
つまり、本実施の形態では、通信が切断された際に端末機器４が行う再接続要求の処理を、通信装置１にて自動的に行い、再接続要求に対する応答から切替後のメディア制御装置３を特定するようにしている。このとき用いる再接続要求としては、端末機器４から系切替可能通信装置２への接続要求の内容を予め記憶しておき、記憶しておいた接続要求（接続に用いた情報）を基に作成したものを用いるとよい。系切替の動作は時間がかかることがあるので、本実施の形態では、系切替から所定時間待機した後に、再接続要求を送信するようにした。
【００３３】
次に、通信装置１の動作を図２を用いて説明する。ここでは、一例として、メディア制御装置３−１からメディア制御装置３−２に運用系を切り替える場合について説明する。
【００３４】
図２に示すように、通信装置１では、まず、端末機器４から系切替可能通信装置２にｔｅｌｎｅｔ、ＳＳＨなどを用いて接続する際に、接続要求を受信し（ステップＳ１）、その接続要求を保存（記憶）しておく（ステップＳ２）。
【００３５】
ここで、端末機器４から系切替可能通信装置２への主従切替命令を通信装置１にて受信したとする（ステップＳ３）。受信した主従切替命令は現状の運用系のメディア制御装置３−１に転送され（ステップＳ４）、系切替可能通信装置２にて運用系の切り替えが行われる（ここでは、メディア制御装置３−１が待機系に、メディア制御装置３−２が運用系に切り替わる）。このとき、通信装置１では、切替前の運用系のメディア制御装置３−１のＭＡＣアドレスを「切替前アドレス」として記憶しておく。
【００３６】
その後、ステップＳ５では、通信装置１が系切替可能通信装置２から端末機器４への切断情報を受信したか判断し、ステップＳ５でＹＥＳと判断された場合は、切断情報を破棄し（ステップＳ６）、ステップＳ５でＮＯと判断された場合は直接ステップＳ７に進む。
【００３７】
ステップＳ７では、予め設定した時間（系切替可能通信装置２での運用系の切り替えに要する程度の時間）待機した後、ステップＳ２で保存していた接続要求の情報を、系切替可能通信装置２の全てのメディア制御装置３に再送する。すなわち、系切替可能通信装置２の全てのメディア制御装置３に対して再接続要求を行う。
【００３８】
その後、ステップＳ８にて、メディア制御装置３から応答が来たか判断する。ステップＳ８にてＮＯと判断された場合、系切替可能通信装置２にて運用系の切り替えが完了していない可能性があるので、ステップＳ７に戻り再び再接続要求を行う。ステップＳ８にてＹＥＳと判断された場合、ステップＳ９に進む。
【００３９】
ステップＳ９では、受信した再接続要求に対する応答の情報の送信元アドレスを参照し、当該送信元アドレスが「切替前アドレス」と異なる場合、送信元アドレスを「切替前アドレス」に書き換えて、宛先アドレスの情報に従い必要な転送を行う。また、このとき受信した応答の情報の送信元アドレス（この場合メディア制御装置３−２のＭＡＣアドレス）を「切替後アドレス」として記憶する。
【００４０】
以降は、系切替可能通信装置２へ転送するフレーム（宛先アドレスが「切替前アドレス」であるフレーム）は、全て宛先アドレスを「切替後アドレス」に書き換えて転送し、系切替可能通信装置２から転送するフレーム（送信元アドレスが「切替後アドレス」であるフレーム）は、全て送信元アドレスを「切替前アドレス」に書き換えて宛先へ転送する（ステップＳ１０）。
【００４１】
以上説明したように、本実施の形態に係る通信装置１では、系切替可能通信装置２にて運用系のメディア制御装置３の切替が行われたとき、切替後の運用系のメディア制御装置３から受信したフレームの送信元アドレスを、切替前の運用系のメディア制御装置３のアドレスに書き換え、切替前の運用系のメディア制御装置３に送られるフレームの宛先アドレスを、切替後の運用系のメディア制御装置３のアドレスに書き換える系切替時処理部５を備えている。
【００４２】
系切替時処理部５を備えることにより、系切替後も系切替前のメディア制御装置３と通信を行っているように見せかけることが可能になり、系切替時の再接続の手間を省き利便性を高めることができる。
【００４３】
また、本実施の形態では、一例として通信装置１に１つの系切替可能通信装置２が接続されている場合を説明したが、通信装置１では、複数の系切替可能通信装置２を接続した場合であっても対応可能である。
【００４４】
つまり、通信システム１００に複数の系切替可能通信装置２が存在する場合であっても、１つの通信装置１を備えるのみで、全ての系切替可能通信装置２の系切替時の再接続の手間を省くことが可能であり、本発明の通信装置１が上位に１台あるだけで、下位にある全ての系切替可能通信装置２の系切替時の手間を省くことができる。
【００４５】
したがって、全ての系切替可能通信装置２に専用の装置を用いる必要がある従来技術と比較して柔軟なシステム設計が可能で、かつ低コストである。また、既存の通信システムにも容易に適用することができる。なお、特許文献１の技術に対応した系切替可能通信装置２が通信システム１００内に混在する場合にも、互いに機能を阻害し合うことはなく、本発明は問題なく適用可能である。
【００４６】
次に、本発明の他の実施の形態を説明する。
【００４７】
図３に示す通信システム１０３は、図１の通信システム１００において、系切替可能通信装置２と端末機器４との間に、複数（ここでは３つ）の通信装置１を互いに通信可能に接続するよう構成したものである。
【００４８】
このような形態で用いる場合、複数の通信装置１のそれぞれの系切替時処理部５では、系切替可能通信装置２のメディア制御装置３と、当該メディア制御装置３に接続されている通信装置１の対応情報を共有するようにされる。
【００４９】
具体的には、系切替時処理部５は、系切替可能通信装置２に接続されているにも関わらず、系切替可能通信装置２の全ての系が自身の通信装置１に直接接続されていないことを認識したとき、他の通信装置１に問い合わせを行い、系切替可能通信装置２に接続されている別の通信装置１の情報を、「他系接続先情報」として記憶するようにされる。
【００５０】
図３の例では、メディア制御装置３−１〜３−ｎが通信装置１−１〜１−ｎにそれぞれ接続されているので、例えば通信装置１−１では、メディア制御装置３−２〜３−ｎに通信装置１−２ｂ〜１−ｎが接続されているという情報、および通信装置１−２〜１−ｎのＭＡＣアドレスが「他系接続先情報」として記憶される。また、各通信装置１では、接続要求の情報や、「切替前アドレス」、「切替後アドレス」の情報についても共有するようにされる。
【００５１】
図３の通信システム１０３における各通信装置１の動作を説明する。ここでは、メディア制御装置３−１からメディア制御装置３−２に運用系を切り替える場合について説明する。
【００５２】
端末機器４から系切替可能通信装置２へｔｅｌｎｅｔ、ＳＳＨなどでリモート接続すると、運用系のメディア制御装置３−１に接続された通信装置１−１にて接続要求が受信され、通信装置１−１にて接続要求の情報と「切替前アドレス」の情報が記憶される。接続要求の情報と「切替前アドレス」の情報は、「他系接続先情報」として記憶されている他の通信装置１−２〜１−ｎに転送され、情報が共有される。
【００５３】
その後、端末機器４から系切替可能通信装置２へ主従切替命令が送信されると、系切替可能通信装置２にて系切替が実行される（ここでは、メディア制御装置３−１が待機系に、メディア制御装置３−２が運用系に切り替わる）。系切替時にメディア制御装置３−１から切断情報が送信された場合には、通信装置１−１にて破棄する。通信装置１−１で主従切替命令を受信したとき、あるいはメディア制御装置３−１との間の通信が途絶えた（リンクダウンした）とき、通信装置１−１では、系切替が行われるという情報を他の通信装置１−２〜１−ｎに送信する。
【００５４】
所定時間経過後、各通信装置１から各メディア制御装置３に再接続要求を行う。応答が無ければこれを繰り返し、応答があれば、応答の情報における送信元アドレスを「切替後アドレス」として記憶する。ここではメディア制御装置３−２が運用系となるので、通信装置１−２がメディア制御装置３−２からの応答を受信し、当該応答の情報の送信元アドレスを「切替後アドレス」として記憶すると共に、その「切替後アドレス」の情報を他の通信装置１−１，１−３〜１−ｎに転送して情報を共有する。通信装置１−２にて受信した応答の情報は、送信元アドレスが「切替前アドレス」に書き換えられた後、端末機器４に転送される。
【００５５】
以降、通信装置１−２では、メディア制御装置３−２からのフレームは、全て送信元アドレスを「切替前アドレス」に書き換えて転送することになる。また、通信装置１−１では、宛先がメディア制御装置３−１であるフレームは、宛先アドレスを「切替後アドレス」に書き換えて転送することになる。
【００５６】
図４に示す通信システム１０４は、図１の通信システム１００において、通信装置１と系切替可能通信装置２との間に、本発明の通信装置１ではない一般的な通信装置（ここではＬ２スイッチ４１）が接続されたものである。ここでは、２つの系切替可能通信装置２を接続した場合を示しており、通信装置１のポート６−１がＬ２スイッチ４１ａを介して系切替可能通信装置２ａのメディア制御装置３−１と系切替可能通信装置２ｂのメディア制御装置３−２に接続され、通信装置１のポート６−２がＬ２スイッチ４１ｂを介して系切替可能通信装置２ａのメディア制御装置３−２と系切替可能通信装置２ｂのメディア制御装置３−１に接続されている。
【００５７】
図４の例では、通信装置１と系切替可能通信装置２ａ，２ｂとの間にＬ２スイッチ４１ａ，４１ｂが存在するため、通信装置１では、系切替可能通信装置２ａ，２ｂを区別する必要があり、この区別のためにＩＰアドレスを用いるようになっている。
【００５８】
つまり、通信装置１の系切替時処理部５は、系切替可能通信装置２との間にＬ２スイッチ４１が接続されているとき、系切替可能通信装置２のＩＰアドレスを記憶し、当該ＩＰアドレスに送受信するフレームのみにアドレスの書き換え処理を行うように構成される。
【００５９】
より具体的には、通信装置１にて、系切替可能通信装置２ａ，２ｂのＩＰアドレスと「切替前アドレス」，「切替後アドレス」を対応づけて接続機器情報記憶部７に記憶しておき、例えば系切替可能通信装置２ａで系切替を行った場合には、送信元あるいは宛先のＩＰアドレスが系切替可能通信装置２ａである場合のみ、ＭＡＣアドレスの変換、すなわち宛先アドレスが「切替前アドレス」であるフレームは宛先アドレスを「切替後アドレス」に書き換え、送信元アドレスが「切替後アドレス」であるフレームは、全て送信元アドレスを「切替前アドレス」に書き換える処理を行うようにする。
【００６０】
このように構成することで、通信装置１と系切替可能通信装置２との間に、様々な他の通信装置が存在する場合であっても、系切替時の再接続の手間を省くことができ、より柔軟なシステム設計が可能になる。
【００６１】
本発明は上記実施の形態に限定されるものではなく、本発明の趣旨を逸脱しない範囲で種々の変更を加え得ることは勿論である。
【符号の説明】
【００６２】
１  通信装置
２  系切替可能通信装置
３  メディア制御装置
４  端末機器
５  系切替時処理部
【図１】
2014006634.tif 000003
【図２】
2014006634.tif 000004
【図３】
2014006634.tif 000005
【図４】
2014006634.tif 000006